(57)【要約】【課題】  各くし歯が破損することがなく、各電線が確実に整列され、しかも、小型化を図れるコネクタを提供する。【解決手段】  略直方体形状のロケータ（整列部材）２の一面２ａの一側には、多数のくし歯２ａ１が所定のピッチで形成されている。一面に直交する他の一面２ｂには、隣接する２つのくし歯の中間に対応するように、多数の凹部２ｂ１が所定のピッチで形成されている。各くし歯の間と各凹部にわたって、ケーブルの各電線６ａが、方向を直角に折曲されて、保持されている。ロケータの一面の中央から反対側の一面の中央まで貫通して多数の貫通孔２ｃが、形成されている。各貫通孔は、略長方形形状に構成され、所定のピッチで、各くし歯の間と各凹部を結ぶ直線に対してθ°傾斜する方向に形成されている。各貫通孔の一端部は、隣接する２つの凹部の中間に配設される。【選択図】    図１
2008098091.tif 000002
【特許請求の範囲】
【請求項１】
複数の電線と接続するコネクタにおいて、
前記コネクタは、前記電線と接続する結線部を備える複数のコンタクトと、前記各コンタクトを保持するハウジングと、前記各電線を整列保持し、略直方体形状の整列部材とを有し、
前記整列部材は、前記各コンタクトのピッチ方向に形成され、前記各コンタクトの結線部を挿通する複数の貫通孔と、一面における前記ピッチ方向と直交する方向の一側に形成され、前記各電線を保持する複数のくし歯と、前記一側とは反対の他側で前記一面と隣接する他の一面に形成され、前記各電線を位置決めする複数の位置決め部とを有することを特徴とするコネクタ。
【請求項２】
前記各貫通孔は略長方形形状で、前記各貫通孔の長手方向の一方の端部は隣接する２つの前記各位置決め部の中間に配設されることを特徴とする請求項１記載のコネクタ。
【請求項３】
前記コネクタは、更にプロテクタを有し、前記整列部材と前記プロテクタとにより、前記各電線を挟持することを特徴とする請求項１又は２記載のコネクタ。
【発明の詳細な説明】
【技術分野】
【０００１】
本発明は、複数の電線と接続するコネクタに関し、特にコネクタの小型化に関する。
【背景技術】
【０００２】
第１の従来の複数の電線と接続するコネクタについて図４と図５を参照して説明する。
【０００３】
図４（Ａ）に示されるように、略直方体形状のロケータ（整列部材）２１の一面の両側には、それぞれ多数のくし歯２１ａ，２１ｂが所定のピッチで形成されている。
【０００４】
図４（Ｂ）に示されるように、各くし歯２１ａの間と各くし歯２１ｂの間にわたって、略直角に折曲されている多数の電線２６が整列保持されている。
【０００５】
前記第１の従来のコネクタの小型化を図る場合、次の２つの対策を提案することができる。
【０００６】
まず、第１の対策として図５（Ａ）に示されるように、各くし歯２１ａ，２１ｂの厚さを減小することによって、コネクタの小型化を図る。
【０００７】
次に、第２の対策として、図５（Ｂ）に示されるように一方側の各くし歯２１ｂを削除することによって、コネクタの小型化を図る。
【０００８】
しかし、第１の対策では、電線２６を保持する各くし歯２１ａ，２１ｂの強度が不足するため、各くし歯２１ａ，２１ｂが破損する恐れが生じる。
【０００９】
また、第２の対策では、電線２６は、実線位置に保持されるとは限らず、左右の矢印方向に破線位置まで揺動する。したがって、電線２６は、確実に整列され難い。
【００１０】
第２の従来の複数の電線と接続するコネクタについて本出願前に頒布された刊行物を引用して説明する（例えば、特許文献１参照。）。
【００１１】
図６に示されるように、略長方体形状の一対のガイド部材（ロケータ）３１の組合せによって１個のガイド部が構成されている。一対のガイド部材３１の対向側に高さ（厚さ）方向に、それぞれ電線を保持する多数の突起（くし歯）３１ａが形成されている。
【００１２】
したがって、第２の従来のコネクタは、部材の点数が多く、また、コネクタの高さ方向のサイズを小型化し難い。
【００１３】
【特許文献１】特開平５−１８２７１３号公報
【発明の開示】
【発明が解決しようとする課題】
【００１４】
本発明は、前記両従来の複数の電線と接続するコネクタの欠点を改良し、各くし歯が破損することがなく、各電線が確実に整列され、しかも、小型化を図ることができるコネクタを提供しようとするものである。
【課題を解決するための手段】
【００１５】
本発明は、前記課題を解決するため、次の手段を採用する。
【００１６】
１．複数の電線６ａと接続するコネクタ１において、前記コネクタは、前記電線と接続する結線部を備える複数のコンタクト４と、前記各コンタクトを保持するハウジング３と、前記各電線を整列保持し、略直方体形状の整列部材２，１２とを有し、前記整列部材は、前記各コンタクトのピッチ方向に形成され、前記各コンタクトの結線部を挿通する複数の貫通孔２ｃと、一面２ａにおける前記ピッチ方向と直交する方向の一側に形成され、前記各電線を保持する複数のくし歯２ａ１と、前記一側とは反対の他側で前記一面２ａと隣接する他の一面２ｂに形成され、前記各電線を位置決めする複数の位置決め部２ｂ１とを有するコネクタ。
【００１７】
２．前記各貫通孔は略長方形形状で、前記各貫通孔の長手方向の一方の端部は隣接する２つの前記各位置決め部の中間に配設される前記１記載のコネクタ。
【００１８】
３．前記コネクタは、更にプロテクタ５を有し、前記整列部材と前記プロテクタとにより、前記各電線を挟持する前記１又は２記載のコネクタ。
【発明の効果】
【００１９】
明細書の説明から明らかなように、本発明は、次の効果を奏する。
【００２０】
１．整列部材は、複数のコンタクトのピッチ方向に形成され、各コンタクトの結線部を挿通する複数の貫通孔と、ピッチ方向と直交する方向の一側に形成され、各電線を保持する複数のくし歯と、一側とは反対の他側に形成され、各電線を位置決めする複数の位置決め部とを有するので、コネクタは、小型化される。また、各くし歯は破損することがなく、更に、各電線は確実に整列される。
【００２１】
２．各貫通孔は略長方形形状に構成され、各貫通孔の長手方向の一方の端部は隣接する２つの各位置決め部の中間に配設されるので、コネクタは、高さ（厚さ）方向に一層薄く構成される。
【００２２】
３．整列部材とプロテクタとにより、各電線を挟持するので、各電線は、確実に保持される。
【発明を実施するための最良の形態】
【００２３】
本発明の一実施例の複数の電線と接続するコネクタについて説明する。
【実施例１】
【００２４】
本発明の実施例１について図１〜図３を参照して説明する。
【００２５】
プラグ側のコネクタ１とレセプタクル側のコネクタ９の全体構成については、図３を参照して後述する。
【００２６】
図１（Ａ）に示されるように、略直方体形状のロケータ（整列部材）２の一面２ａの一側には、多数のくし歯２ａ１が所定のピッチで形成されている。一面２ａに直交する他の一面２ｂには、隣接する２つのくし歯２ａ１の中間に対応するように、多数の凹部２ｂ１が所定のピッチで形成されている。凹部２ｂ１を溝等の位置決め部に設計変更することができる。
【００２７】
各くし歯２ａ１の間と各凹部２ｂ１にわたって、図１（Ｂ）に示されるように、ケーブル６の各電線６ａが、方向を直角に折曲されて、保持されている。
【００２８】
図１（Ａ），（Ｃ）に示されるように、ロケータ２の一面２ａの中央から反対側の一面の中央まで貫通して多数の貫通孔２ｃが形成されている。各貫通孔２ｃは、略長方形形状に構成され、所定のピッチで、各くし歯２ａ１の間と各凹部２ｂ１を結ぶ直線に対してθ°傾斜する方向に形成されている。各貫通孔２ｃの一端部は、隣接する２つの凹部２ｂ１の中間に配設される。
【００２９】
貫通孔２ｃは、コンタクト４の結線部が挿通されるものであり、芯線が絶縁体により被覆された電線６ａをロケータ２によって位置決め保持した後、コンタクト４の結線部により電線６ａを突き刺して、コンタクト４と電線６ａを接続する。
【００３０】
本発明においては、ロケータ２は、図１（Ａ）〜（Ｃ）に示されるように単独に構成されることもできれば、図２（Ｂ）に示されるように、一対のロケータ２が対向するように一体化して単一のロケータ１２を構成するように、設計変更することもできる。
【００３１】
図２（Ａ）は、図４（Ａ）に示される第１の従来のコネクタのロケータ２１が一対対向するように組合されて構成されるロケータ４１の正面図である。ロケータ４１の幅は、一例として４．６ｍｍである。これに対して、図２（Ｂ）は、本発明の実施例１におけるロケータ２の一設計変更例であるロケータ１２の正面図である。ロケータ１２の幅は、一例として４ｍｍである。したがって、ロケータの幅は、０．６ｍｍ小型化を図ることができる。
【００３２】
プラグ側のコネクタ１とレセプタクル側のコネクタ９の全体構成について、図３を参照して説明する。
【００３３】
コネクタ１は、２列に整列されている多数のコンタクト４を有するハウジング（インシュレータ）３と、各コンタクト４が挿通する各貫通孔５ａを有するプロテクタ５と、ロケータ１２と、多数の電線６ａを有するケーブル６とから構成される。
【００３４】
各コンタクト４の結線部は、プロテクタ５の各貫通孔５ａを挿通して各電線６ａと接続し、更に、ロケータ１２の各貫通孔２ｃを挿通する。プロテクタ５とロケータ１２は、ケーブル６の各電線６ａの折曲されている先端部を挟持する。
【００３５】
モバイル機器８には、レセプタクル側のコネクタ９が設けられ、コネクタ９は、コネクタ１と嵌合する。
【図面の簡単な説明】
【００３６】
【図１】本発明の実施例１のコネクタにおけるロケータの諸図であり、（Ａ）はロケータの斜視図、（Ｂ）はロケータが電線を保持する状態の斜視図、（Ｃ）はロケータの正面図を、それぞれ示す。
【図２】（Ａ）は第１の従来のコネクタのロケータに類似するロケータの正面図であり、（Ｂ）は本発明の実施例１のコネクタにおけるロケータの一設計変更例の正面図である。
【図３】本発明の実施例１の分解されているコネクタと相手側のコネクタの全体構成の斜視図である。
【図４】第１の従来のコネクタにおけるロケータの斜視図であり、（Ａ）は電線が保持されていない状態、（Ｂ）は電線が保持されている状態を、それぞれ示す。
【図５】（Ａ）は第１の従来のコネクタにおけるロケータの両側の各くし歯が薄く構成された場合の斜視図であり、（Ｂ）は一方側の各くし歯が削除された場合の斜視図である。
【図６】第２の従来のコネクタにおけるガイド部の正面図である。
【符号の説明】
【００３７】
１  コネクタ（プラグ側）
２  ロケータ（整列部材）
２ａ  一面
２ａ１  くし歯
２ｂ  他の一面
２ｂ１  凹部（位置決め部）
２ｃ  貫通孔
３  ハウジング（インシュレータ）
４  コンタクト
５  プロテクタ
５ａ  貫通孔
６  ケーブル
６ａ  電線
８  モバイル機器
９  コネクタ（レセプタクル側）
１２  ロケータ（一設計変更例）
【図１】
2008098091.tif 000003
【図２】
2008098091.tif 000004
【図３】
2008098091.tif 000005
【図４】
2008098091.tif 000006
【図５】
2008098091.tif 000007
【図６】
2008098091.tif 000008